(57)【要約】本発明の照明装置１２は、光源１８と、前記光源１８を収容するシャーシ１４と、前記シャーシ１４に対して前記光源１８とは反対側に配され、前記光源１８に対して駆動電力を供給する電力供給基板２０と、前記シャーシ１４に組み付けられ、前記電力供給基板２０と前記光源１８との間の電力供給を中継する中継コネクタ２１と、を備え、前記電力供給基板２０は、前記中継コネクタ２１から離脱した非挿入位置と、前記中継コネクタ２１に挿入された挿入位置との間で、前記シャーシ１４の面に沿って移動可能であり、前記電力供給基板２０には、前記非挿入位置又は前記挿入位置において、前記シャーシ１４に当接しつつ、当該電力供給基板２０が前記シャーシ１４に接近することを規制する接近規制ボス３０が立設されていることを特徴とする。
2010103705.tif 000002
【特許請求の範囲】
【請求項１】
光源と、
前記光源を収容するシャーシと、
前記シャーシに対して前記光源とは反対側に配され、前記光源に対して駆動電力を供給する電力供給基板と、
前記シャーシに組み付けられ、前記電力供給基板と前記光源との間の電力供給を中継する中継コネクタと、を備え、
前記電力供給基板は、前記中継コネクタから離脱した非挿入位置と、前記中継コネクタに挿入された挿入位置との間で、前記シャーシの面に沿って移動可能であり、
前記電力供給基板には、前記非挿入位置又は前記挿入位置において、前記シャーシに当接しつつ、当該電力供給基板が前記シャーシに接近することを規制する接近規制ボスが立設されていることを特徴とする照明装置。
【請求項２】
前記接近規制ボスのうち前記シャーシ側の先端には、回転可能な球状部材が取り付けられていることを特徴とする請求項１に記載の照明装置。
【請求項３】
前記接近規制ボスは、前記電力供給基板に少なくとも３つ立設されていることを特徴とする請求項１又は請求項２に記載の照明装置。
【請求項４】
前記電力供給基板は平面視略矩形状であり、
前記接近規制ボスは、前記電力供給基板の四隅に立設されていることを特徴とする請求項１から請求項３のいずれか１項に記載の照明装置。
【請求項５】
前記電極供給基板は、前記接近規制ボスを通じて放電可能であることを特徴とする請求項１から請求項４のいずれか１項に記載の照明装置。
【請求項６】
前記シャーシと前記電力供給基板とは、他の部材を介さず互いに対向していることを特徴とする請求項１から請求項５のいずれか１項に記載の照明装置。
【請求項７】
前記シャーシと前記電力供給基板との間には、絶縁性のカバーが取り付けられていることを特徴とする請求項１から請求項５のいずれか１項に記載の照明装置。
【請求項８】
請求項１から請求項７のいずれか１項に記載の照明装置と、前記照明装置からの光を利用して表示を行う表示パネルと、を備えることを特徴とする表示装置。
【請求項９】
前記表示パネルは、一対の基板間に液晶を封入してなる液晶パネルであることを特徴とする請求項８に記載の表示装置。
【請求項１０】
請求項８又は請求項９に記載された表示装置を備えることを特徴とするテレビ受信装置。
【発明の詳細な説明】
【技術分野】
【０００１】
本発明は、照明装置、表示装置、及びテレビ受信装置に関する。
【背景技術】
【０００２】
例えば、液晶テレビなどの液晶表示装置に用いる液晶パネルは、自発光しないため、別途に照明装置としてバックライト装置を必要としている。このバックライト装置は、液晶パネルの裏側（表示面とは反対側）に設置されるようになっており、液晶パネル側の面が開口したシャーシと、シャーシ内に収容される多数本のランプ（例えば冷陰極管）と、各ランプに電力を供給可能なインバータユニットとを備える。【０００３】
インバータユニットとランプとを電気的に接続するための構成の一例として下記特許文献１に記載されたものが知られている。このものは、ランプがシャーシの表側内部に配されるのに対し、インバータユニットがシャーシの裏側外部に配されるとともに、シャーシにはランプソケットが内外に貫通する形態で取り付けられている。そして、このランプソケットの内側端部にランプが接続されるのに対し、ランプソケットの外側端部にインバータユニットが接続されるようになっている。さらに、シャーシの裏側外部にはガイド部が設けられており、インバータユニットをシャーシに取り付ける際に、当該インバータユニットがガイド部によりガイドされる構成となっている。
【先行技術文献】
【特許文献】
【０００４】
【特許文献１】特開２００８−２７８８０号公報
【０００５】
（発明が解決しようとする課題）
上記特許文献１に開示された液晶表示装置では、インバータユニットをランプソケットに接続するには、インバータユニットをシャーシの裏面に対して対向させた状態に保ちつつ、ガイド部に沿って水平にスライドさせてランプソケットに挿入する構成となっている。ここで、当該液晶表示装置の構成では、インバータユニットは、シャーシの面内方向、及びシャーシから遠ざかる方向にはガイドされるものの、シャーシの裏面に接近する方向に対してはガイドされないものとなっている。一般に、インバータユニットにおけるシャーシとの対向面には各種チップ部品が実装されており、インバータユニットがシャーシの裏面に接近しすぎて互いに接触した場合には、インバータユニットが損傷するおそれがある。
【発明の概要】
【０００６】
本発明は上記のような事情に基づいて完成されたものであって、シャーシとインバータ基板との組付けに伴う損傷を防止することを目的とする。
【０００７】
（課題を解決するための手段）
上記課題を解決するために、本発明の照明装置は、光源と、前記光源を収容するシャーシと、前記シャーシに対して前記光源とは反対側に配され、前記光源に対して駆動電力を供給する電力供給基板と、前記シャーシに組み付けられ、前記電力供給基板と前記光源との間の電力供給を中継する中継コネクタと、を備え、前記電力供給基板は、前記中継コネクタから離脱した非挿入位置と、前記中継コネクタに挿入された挿入位置との間で、前記シャーシの面に沿って移動可能であり、前記電力供給基板には、前記非挿入位置又は前記挿入位置において、前記シャーシに当接しつつ、当該電力供給基板が前記シャーシに接近することを規制する接近規制ボスが立設されていることを特徴とする。
【０００８】
電力供給基板を中継コネクタに接続するには、電力供給基板をシャーシに対して光源とは反対側の非挿入位置に配して、当該非挿入位置からシャーシの板面に沿って挿入位置に移動させる。ここで、電力供給基板には、当該電力供給基板がシャーシに接近することを規制する接近規制ボスが立設されている。したがって、電力供給基板は、非挿入位置又は挿入位置において、常にシャーシと所定の距離離間した状態が保たれる。その結果、電力供給基板を非挿入位置に配する際や、非挿入位置から挿入位置へ移動させる際に、電力供給基板に実装された各種部品などがシャーシに接触することを回避することができ、電力供給基板やシャーシの損傷を防止することが可能となる。
【０００９】
また、前記接近規制ボスのうち前記シャーシ側の先端には、回転可能な球状部材が取り付けられているものとすることができる。
このような構成によれば、電力供給基板を非挿入位置から挿入位置に移動させる際に、接近規制ボスの球状部材が回転することで、電力供給基板の円滑な移動を実現することが可能となる。
【００１０】
また、前記接近規制ボスは、前記電力供給基板に少なくとも３つ立設されているものとすることができる。
このような構成によれば、電力供給基板とシャーシとが少なくとも３点以上で互いに離間した状態に保たれるため、電力供給基板を移動させる際に、安定した移動が可能となる。したがって、電力供給基板とシャーシとの接触を回避することができ、両者の損傷を防止することが可能となる。
【００１１】
また、前記電力供給基板は平面視略矩形状であり、前記接近規制ボスは、前記電力供給基板の四隅に立設されているものとすることができる。
電力供給基板が略矩形状とされる場合、その四隅が最もシャーシに接触し易い。そこで、四隅に接近規制ボスを立設することにより、電力供給基板とシャーシとの接触をより一層確実に防止することが可能となる。
【００１２】
また、前記電極供給基板は、前記接近規制ボスを通じて放電可能であるものとすることができる。
電力供給基板には各種電子部品が実装されており、周囲の部材（例えばシャーシなど）に意図しない自然放電が生じる場合がある。そこで、接近規制ボスを通じて放電可能とすることにより、意図しない自然放電を抑制することが可能となる。
【００１３】
また、前記シャーシと前記電力供給基板とは、他の部材を介さず互いに対向しているものとすることができる。
このような場合、電力供給基板とシャーシとの接触が生じて損傷が発生し易くなるため、本発明の構成が好適に用いられる。
【００１４】
また、前記シャーシと前記電力供給基板との間には、絶縁性のカバーが取り付けられているものとすることができる。
このような構成によれば、電力供給基板からシャーシへの意図しない自然放電を抑制することが可能となる。
【００１５】
次に、上記課題を解決するために、本発明の表示装置は、上述した照明装置と、当該照明装置からの光を利用して表示を行う表示パネルと、を備えることを特徴とする。
このような表示装置によると、表示パネルに対して光を供給する照明装置が、組付けに伴う損傷が生じ難いものであるため、製造コストの低減を図ることができるとともに動作信頼性にも優れる。
【００１６】
前記表示パネルとしては液晶パネルを例示することができる。このような表示装置は液晶表示装置として、種々の用途、例えばテレビやパソコンのディスプレイ等に適用でき、特に大型画面用として好適である。
【００１７】
また、本発明のテレビ受信装置は、上記表示装置を備えることを特徴とする。
このようなテレビ受信装置によると、製造コストの低減を図ることができるとともに、動作信頼性に優れた装置を提供することが可能となる。
【００１８】
（発明の効果）
本発明によれば、シャーシとインバータ基板との組付けに伴う損傷を防止することが可能となる。
【図面の簡単な説明】
【００１９】
【図１】本発明の実施形態１に係るテレビ受信装置の概略構成を示す分解斜視図
【図２】液晶表示装置の長辺方向に沿った断面構成を示す断面図
【図３】冷陰極管を収容したシャーシの平面図
【図４】インバータ基板を取り外し位置とした状態における液晶表示装置の長辺方向に沿った断面構成を示す断面図
【図５】中継コネクタの断面構成を示す断面図
【図６】インバータ基板を取り付けたシャーシの底面図
【図７】インバータ基板の概略構成を示す平面図
【図８】インバータ基板に備わるガイドボスの構成を示す断面図
【図９】インバータ基板を非挿入位置とした状態における要部拡大底面図
【図１０】インバータ基板を非挿入位置とした状態における図９のＡ−Ａ線断面図
【図１１】インバータ基板を挿入位置とした状態における要部拡大底面図
【図１２】インバータ基板を挿入位置とした状態における図１０のＢ−Ｂ線断面図
【図１３】インバータ基板を挿入位置とした状態における図１０のＣ−Ｃ線断面図
【図１４】本発明の実施形態２に係る液晶表示装置の長辺方向の断面構成を示す断面図
【図１５】本発明の実施形態３に係るインバータ基板の概略構成を示す平面図
【図１６】本発明の実施形態４に係る液晶表示装置の長辺方向の断面構成を示す断面図
【図１７】カバーを取り付けたシャーシの拡大底面図
【発明を実施するための形態】
【００２０】
＜実施形態１＞
本発明の実施形態１を図１から図１３によって説明する。本実施形態では、液晶表示装置１０について例示する。
なお、各図面の一部にはＸ軸、Ｙ軸及びＺ軸を示しており、各軸方向が各図面で示した方向となるように描かれている。また、図２に示す上側を表側（正面側、光出射側）とし、図２に示す下側を裏側（背面側、光出射側とは反対側）とする。
【００２１】
本実施形態に係るテレビ受信装置ＴＶは、図１に示すように、液晶表示装置１０（表示装置）と、当該液晶表示装置１０を挟むようにして収容する表裏両キャビネットＣａ，Ｃｂと、電源Ｐと、チューナーＴとを備えて構成される。液晶表示装置１０は、全体として横長の方形を成し、図２に示すように、表示パネルである液晶パネル１１と、外部光源であるバックライト装置１２（照明装置）とを備え、これらが枠状をなすベゼル１３などにより一体的に保持されるようになっている。
【００２２】
次に、液晶表示装置１０を構成する液晶パネル１１及びバックライト装置１２について順次に説明する。液晶パネル１１は、平面視矩形状をなしており、図２に示すように、一対のガラス基板１１ａ，１１ｂが所定のギャップを隔てた状態で貼り合わせられるとともに、両ガラス基板１１ａ，１１ｂ間に液晶層（図示せず）が封入された構成とされる。一方のガラス基板１１ａには、互いに直交するソース配線とゲート配線とに接続されたスイッチング素子（例えばＴＦＴ）と、そのスイッチング素子に接続された画素電極、さらには配向膜等が設けられ、他方のガラス基板１１ｂには、Ｒ（赤色），Ｇ（緑色），Ｂ（青色）等の各着色部が所定配列で配置されたカラーフィルタや対向電極、さらには配向膜等が設けられている。このうち、ソース配線、ゲート配線及び対向電極などには、図示しない駆動回路基板から画像を表示するのに必要な画像データや各種制御信号が供給されるようになっている。なお、両ガラス基板１１ａ，１１ｂの外側にはそれぞれ偏光板１１ｃ，１１ｄが配されている。
【００２３】
バックライト装置１２は、図２に示すように、液晶パネル１１の背面直下に光源が配置されてなる、いわゆる直下型のバックライトであり、表側（光出射側、液晶パネル１１側）に開口した略箱型をなすシャーシ１４と、シャーシ１４内に敷設される反射シート１５と、シャーシ１４の開口部を覆うようにして取り付けられる複数枚の光学部材１６と、光学部材１６を保持可能なフレーム１７と、シャーシ１４内に並列した状態で収容される複数本の冷陰極管１８（光源）と、冷陰極管１８の各端部を遮光するとともに自身が光反射性を備えてなるホルダ１９とを有する。さらに、このバックライト装置１２は、シャーシ１４の裏側に配されるインバータ基板２０（電力供給基板）と、インバータ基板２０と冷陰極管１８との間の電力供給を中継する中継コネクタ２１とを備えている。
【００２４】
シャーシ１４は、アルミニウムなどの金属製とされ、液晶パネル１１と同じく平面視略矩形状をなす底板１４ａを備える。この底板１４ａの長辺方向が各図面のＸ軸方向と一致し、短辺方向が同Ｙ軸方向と一致している。底板１４ａにおける長辺方向の両端部には、中継コネクタ２１を挿通可能なコネクタ挿通孔１４ｂが貫通して形成されている。コネクタ挿通孔１４ｂは、Ｙ軸方向（底板１４ａの短辺方向）に沿って複数（冷陰極管１８及び中継コネクタ２１に対応した数）並列配置されている。反射シート１５は、光の反射性に優れた白色を呈する合成樹脂製とされるとともにシャーシ１４の内面のほぼ全域を覆う形で敷設されていて、冷陰極管１８からの光を光学部材１６側（光出射側）へ反射させる機能を有する。また、反射シート１５には上記コネクタ挿通孔１４ｂに連通する孔が形成されている。
【００２５】
光学部材１６は、シャーシ１４の底板１４ａや液晶パネル１１と同様に平面視矩形状をなし、透光性を有する合成樹脂製とされるとともに、裏側の冷陰極管１８と表側の液晶パネル１１との間に介在する。光学部材１６は、裏側から順に、例えば拡散板、拡散シート、レンズシート、及び輝度上昇シートにより構成されており、線状光源である各冷陰極管１８から発せられる光を均一な面状の光に変換するなどの機能を有する。
【００２６】
フレーム１７は、液晶パネル１１や光学部材１６の外周縁部に沿う枠状をなしている。フレーム１７は、光学部材１６の表側に配されるとともにホルダ１９との間で光学部材１６の外周縁部を挟持できるようになっている。また、フレーム１７は、液晶パネル１１を裏側から受けることができるようになっていて、液晶パネル１１の表側に配されるベゼル１３との間で液晶パネル１１を挟持可能とされる。
【００２７】
冷陰極管１８は、線状光源（管状光源）の一種であり、図３に示すように、その軸方向をシャーシ１４の長辺方向（Ｘ軸方向）と一致させた姿勢でシャーシ１４内に取り付けられており、複数本が互いの軸を略平行にし、且つ互いの間に所定の間隔を空けた状態でシャーシ１４の短辺方向（Ｙ軸方向）に沿って並べられている。
【００２８】
この冷陰極管１８は、放電管の一種であり、図４に示すように、両端部が封止された断面円形の細長いガラス管１８ａと、ガラス管１８ａの両端部の内側に封入された一対の電極（図示せず）と、ガラス管１８ａの両端部から外部に突出する一対のアウタリード１８ｂとを備える。ガラス管１８ａは、内部に発光物質である水銀など（蛍光体共々図示せず）が封入されるとともに、その内壁面に蛍光体が塗布されている。アウタリード１８ｂは、導電性を有する金属製とされ、ガラス管１８ａの端部からその軸方向（Ｘ軸方向）に沿って外向き（電極側とは逆向き）に突出する細長い略円柱状をなしており、その内端部がガラス管１８ａ内の電極に対して接続されることで電極と同電位とされる。
【００２９】
ホルダ１９は、光の反射性に優れた白色を呈する合成樹脂製とされ、図２に示すように、シャーシ１４の短辺方向に沿って延びるとともに、裏側の面が開口した略箱型をなしている。ホルダ１９は、シャーシ１４における長辺方向の両端部に一対取り付けられることで、同位置に並列配置された各冷陰極管１８の端部（非発光部）を一括して覆うことができるようになっている。
【００３０】
中継コネクタ２１は、図４に示すように、絶縁性を有する合成樹脂製（例えばポリブチレンテレフタレートやナイロンなど）で全体が略ブロック状をなすハウジング２３と、ハウジング２３内に収容された端子金具２４とを備えており、シャーシ１４の底板１４ａを貫通した状態で取り付けられている。図５に示すように、ハウジング２３のうち、シャーシ１４内に配された部分が、冷陰極管１８の端部を受け入れる光源受入部２３ａとされるのに対し、シャーシ１４外に配された部分が、インバータ基板２０のコネクタ接続部２０ｃを受け入れる基板受入部２３ｂとされる。光源受入部２３ａには、冷陰極管１８の端部に沿った円弧状の溝部が形成されている。基板受入部２３ｂには、Ｘ軸方向に沿って後方（インバータ基板２０側）へ向けて開口するとともにＹ軸方向に沿って図５に示す右側へ向けて開口する基板挿入口２３ｃが設けられている。このハウジング２３は、シャーシ１４に対して直接保持されている。詳しくは、光源受入部２３ａは、基板受入部２３ｂよりもＹ軸方向の寸法が大きくなっており、その幅広部分２３ｄがシャーシ１４に対して表側から係合可能とされる。基板受入部２３ｂには、シャーシ１４に対して裏側から係合可能な抜け止め突部２３ｅが設けられている。
【００３１】
一方、図４に示すように、端子金具２４のうち、上記光源受入部２３ａ内に配された端部が、冷陰極管１８のアウタリード１８ｂに接触される光源接触部２４ａとされるのに対し、上記基板受入部２３ｂ内に配された端部が、コネクタ接続部２０ｃの端子部２０ｄに接触される基板接触部２４ｂとされる。光源接触部２４ａ及び基板接触部２４ｂは、それぞれバネ性を有しており、アウタリード１８ｂ及び端子部２０ｄに対して弾性接触可能とされる。インバータ基板２０から出力された出力電圧は、この中継コネクタ２１を介して冷陰極管１８のアウタリード１８ｂ及び電極に入力可能とされる。
【００３２】
中継コネクタ２１は、シャーシ１４に対して冷陰極管１８の両端部に対応した位置、すなわち底板１４ａにおける長辺方向の両端位置に一対一組で配され、かつ底板１４ａの短辺方向（Ｙ軸方向、冷陰極管１８の並列方向）に沿って複数ずつ（冷陰極管１８の本数分）並んで配されている（図６参照）。各中継コネクタ２１の配列ピッチは、各冷陰極管１８の配列ピッチとほぼ等しくなっている。各中継コネクタ２１のＹ軸方向についての設置位置は、各冷陰極管１８とほぼ同じに揃えられている。
【００３３】
続いてインバータ基板２０について図２、図６から図１３を用いて説明する。
図６はインバータ基板を取り付けたシャーシの底面図、図７はインバータ基板の概略構成を示す平面図、図８はインバータ基板に備わるガイドボスの構成を示す断面図である。
インバータ基板２０は、合成樹脂製（例えばガラス布基材エポキシ樹脂製や紙フェノール製など）の基材上に所定の配線パターンが形成されるとともに各種電子部品が実装されてなる。詳しくは、図２に示すように、インバータ基板２０の表側の面（シャーシ１４側の面）には、配線パターンが形成されるとともに、トランスやコンデンサなどのリード部品２０ａや、抵抗やダイオードやコンデンサなどのチップ部品２０ｂが実装されている。このうち、リード部品２０ａのリードは、配線パターンに対して半田付けされている。一方、チップ部品２０ｂは、インバータ基板２０の表側の面において配線パターン上に表面実装されている。このインバータ基板２０は、液晶表示装置１０の電源Ｐに対して接続されており、その電源Ｐから入力される入力電圧を昇圧し、入力電圧よりも高い出力電圧を冷陰極管１８へ出力するなどして冷陰極管１８の点灯・消灯を制御する機能を有する。なお、図６及び図７では、リード部品２０ａ及びチップ部品２０ｂの図示を省略している。
【００３４】
インバータ基板２０は、図６に示すように、シャーシ１４の底板１４ａの裏側の面（冷陰極管１８とは反対側の面）に、他の部材を介さずに対向する形で取り付けられており、底板１４ａのうち長辺方向の両端位置に一対、対称配置されている。インバータ基板２０は、平面視略矩形状をなしており、その板面がシャーシ１４の底板１４ａの板面（Ｘ軸方向及びＹ軸方向、液晶表示装置１０の厚さ方向であるＺ軸方向と直交する面）とほぼ平行をなすとともに、その長辺方向が底板１４ａにおける短辺方向（Ｙ軸方向、冷陰極管１８の軸方向と直交する方向）と一致する状態で、底板１４ａに対してビスなどにより固定される。
【００３５】
インバータ基板２０における中継コネクタ２１に対する挿入方向の前端部には、中継コネクタ２１に対して挿入・接続されるコネクタ接続部２０ｃが設けられている。コネクタ接続部２０ｃは、インバータ基板２０の上記端部に切り欠きを間欠的に設けることで、インバータ基板２０の長辺方向に沿って複数（中継コネクタ２１の数分）並列配置されている。これにより、インバータ基板２０の上記前端部は、櫛歯状をなしている。各コネクタ接続部２０ｃは、図９に示すように、各中継コネクタ２１に対して個別に挿入可能とされ、その先端部には、配線パターンから延出した端子部２０ｄが設けられている。コネクタ接続部２０ｃの幅寸法は、中継コネクタ２１における基板挿入口２３ｃの開口間口よりも広くなっており、その差は、隣り合う中継コネクタ２１間の間隔と概ね等しくなっている。
【００３６】
そして、このインバータ基板２０は、シャーシ１４の底板１４ａに対して所定の間隔を空けて対向するとともにコネクタ接続部２０ｃが中継コネクタ２１から離脱した非挿入位置（図９及び図１０）と、底板１４ａとの間の上記間隔（Ｚ軸方向についての位置関係）を非挿入位置と同様に維持しつつもコネクタ接続部２０ｃが中継コネクタ２１内に挿入された挿入位置（図１１〜図１３）との間を、シャーシ１４の底板１４ａインバータ基板２０の板面に沿うＸ軸方向（インバータ基板２０の短辺方向）に移動可能とされている。詳しくは、非挿入位置では、図９及び図１０に示すように、コネクタ接続部２０ｃが中継コネクタ２１との間にＸ軸方向について所定の間隔を空けて配されており、その端子部２０ｄが中継コネクタ２１の端子金具２４に対して非接触の状態とされる。一方、挿入位置では、図１１〜図１３に示すように、コネクタ接続部２０ｃが中継コネクタ２１内に進入していて、その端子部２０ｄが中継コネクタ２１の端子金具２４に対して接触状態とされる。インバータ基板２０は、非挿入位置と挿入位置との間をＸ軸方向に沿ってほぼ水平に移動可能とされており、非挿入位置から挿入位置へ向かう方向が挿入方向とされ、逆に挿入位置から非挿入位置へ向かう方向が離脱方向とされる。図６、図７、図９〜図１２に示すＸ軸方向の右方が挿入方向であり、同図に示すＸ軸方向の左方が離脱方向である。なお、以下では、中継コネクタ２１に対するインバータ基板２０の挿入方向及び離脱方向について説明するときは、図６に示す左側のインバータ基板２０及び中継コネクタ２１を基準とし、また前後の記載については、図６、図７、図９〜図１２に示すＸ軸方向の右方を前方、同左方を後方とする。
【００３７】
ところで、インバータ基板２０は、上述したとおり、シャーシ１４に対してＺ軸方向について所定の位置関係を維持しつつ非挿入位置から挿入位置へ向けて移動されることで、各中継コネクタ２１に取り付けられるようになっている。ところが、インバータ基板２０におけるシャーシ１４との対向面には、リード部品２０ａやチップ部品２０ｂが実装されているため、インバータ基板２０をシャーシ１４に対して非挿入位置に配する際に、インバータ基板２０がＺ軸方向に位置ずれすると、上記リード部品２０ａやチップ部品２０ｂがシャーシ１４に接触するおそれがある。
【００３８】
そこで、本実施形態では、図７に示すように、インバータ基板２０の表面（シャーシ１４側の面）の四隅には、インバータ基板２０がシャーシ１４に接近することを規制しつつインバータ基板２０の移動をガイドするガイドボス（接近規制ボス）３０が立設されている。ガイドボス３０は、インバータ基板２０の配線（グランド）上に半田付けされている。このガイドボス３０は、金属製とされ、図８に示すように、略円筒形状をなす筒部３１と、筒部３１の先端に回転可能に把持されたボール（球状部材）３２とから構成されている。より詳しくは、筒部３１のうちシャーシ１４側の先端は開口部３１ａを有しており、筒部３１内に収納されたボール３２のおよそ半分が当該開口部３１ａから露出した状態となっている。そして、ボール３２の露出部分に摩擦抵抗が生じると、当該ボール３２が回転する仕組みとなっている。
【００３９】
ガイドボス３０は、インバータ基板２０が挿入位置又は非挿入位置に置かれた場合に、シャーシ１４に当接するものとなっている。ここで、シャーシ１４及びガイドボス３０は金属製とされているため、インバータ基板２０はガイドボス３０を通じてシャーシ１４側へ放電可能となっている。
【００４０】
本実施形態は以上のような構造であり、続いてその作用を説明する。上記した構成の液晶表示装置１０は、それぞれ別途に製造された液晶パネル１１及びバックライト装置１２をベゼル１３などにより互いに組み付けることで製造される。以下では、このうちバックライト装置１２の組付け手順について説明する。
【００４１】
バックライト装置１２の組付けにあたっては、まずシャーシ１４の表側内面に反射シート１５を敷設する。そして、シャーシ１４内から各中継コネクタ２１を取り付けることで、シャーシ１４に対して中継コネクタ２１を保持させる。その後、シャーシ１４内に各冷陰極管１８を収容し、端部のアウタリード１８ｂを中継コネクタ２１の光源受入部２３ａ内に進入させて端子金具２４の光源接触部２４ａに対して弾性接触させる。それから、シャーシ１４に対して表側からホルダ１９、光学部材１６、及びフレーム１７を順次組み付ける（図２参照）。
【００４２】
その一方で、シャーシ１４の裏側外部においては、インバータ基板２０をシャーシ１４に対して組み付ける作業を行う。インバータ基板２０は、リード部品２０ａ及びチップ部品２０ｂが配された側の面を表側とした状態で、図４に示す取り外し位置から、シャーシ１４に対して裏側からＺ軸方向に沿って接近されることで、図９及び図１０に示す非挿入位置に至る。このとき、インバータ基板２０に立設されたガイドボス３０のボール３２が、シャーシ１４の裏面に当接する。これにより、インバータ基板２０はシャーシ１４に対して所定の距離（ガイドボス３０の高さ分）離間した状態となる。
【００４３】
続いて、インバータ基板２０を非挿入位置から挿入位置へ向けて移動させる作業を行う。非挿入位置からインバータ基板２０をＸ軸方向に沿って前方へ押し込むと、ガイドボス３０のボール３２とシャーシ１４の底板１４ａとの間に摩擦抵抗が生じる。その結果、ボール３２がシャーシ１４の裏面上を回転しつつインバータ基板２０が移動することとなり、各端子部２０ｄが各中継コネクタ２１の基板挿入口２３ｃ内に円滑に挿入される。そして、インバータ基板２０が挿入位置に達すると、図１１〜図１３に示すように、各嵌合部２０ｃの端子部２０ｄに対して各中継コネクタ２１の端子金具２４の基板接触部２４ｂが弾性接触される。これにより、インバータ基板２０と冷陰極管１８とが中継コネクタ２１を介して電気的に接続され、冷陰極管１８に対する電力供給が可能となる。
【００４４】
以上説明したように、本実施形態に係るバックライト装置１２は、冷陰極管１８と、冷陰極管１８を収容するシャーシ１４と、シャーシ１４に対して冷陰極管１８とは反対側に配され、冷陰極管１８に対して駆動電力を供給するインバータ基板２０と、シャーシ１４に組み付けられ、インバータ基板２０と冷陰極管１８との間の電力供給を中継する中継コネクタ２１と、を備え、インバータ基板２０は、中継コネクタ２１から離脱した非挿入位置と、中継コネクタ２１に挿入された挿入位置との間でシャーシ１４の面に沿って移動可能である。さらに、インバータ基板２０には、非挿入位置又は挿入位置において、シャーシ１４に当接しつつ、インバータ基板２０がシャーシ１４に接近することを規制するガイドボス３０が立設されている。
【００４５】
インバータ基板２０を中継コネクタ２１に接続するには、インバータ基板２０をシャーシ１４に対して冷陰極管１８とは反対側の非挿入位置に配して、当該非挿入位置からシャーシ１４の板面に沿って挿入位置に移動させる。ここで、インバータ基板２０には、当該インバータ基板２０がシャーシ１４に接近することを規制するガイドボス３０が立設されている。したがって、インバータ基板２０は、非挿入位置又は挿入位置において、常にシャーシ１４と所定の距離離間した状態が保たれる。その結果、インバータ基板２０を非挿入位置に配する際や、非挿入位置から挿入位置へ移動させる際に、当該インバータ基板２０に実装された各種部品２０ａ、２０ｂなどがシャーシ１４に接触することを回避することができ、インバータ基板２０やシャーシ１４の損傷を防止することが可能となる。
【００４６】
また、本実施形態において、ガイドボス３０のうちシャーシ１４側の先端には、回転可能なボール３２が取り付けられている。
このような構成によれば、インバータ基板２０を非挿入位置から挿入位置に移動させる際に、ガイドボス３０のボール３２が回転することで、インバータ基板２０の円滑な移動を実現することが可能となる。
【００４７】
また、ガイドボス３０は、インバータ基板２０に３つ以上立設されているため、インバータ基板２０とシャーシ１４とが少なくとも３点以上で互いに離間した状態に保たれる。したがって、インバータ基板２０を移動させる際に、安定した移動が可能となるため、インバータ基板２０とシャーシ１４との接触を回避することができ、両者の損傷を防止することが可能となる。
【００４８】
また、インバータ基板２０は略矩形状であり、ガイドボス３０は、インバータ基板２０の四隅に立設されている。このように、最もシャーシ１４に接触し易い四隅にガイドボス３０が立設されていることにより、インバータ基板２０とシャーシ１４との接触をより一層確実に防止することが可能となる。
【００４９】
また、インバータ基板２０は、ガイドボス３０を通じて放電可能とされている。
インバータ基板２０には、リード部品２０ａやチップ部品２０ｂが実装されており、周囲の部材に意図しない自然放電が生じる場合がある。そこで、ガイドボス３０を通じて放電可能とすることにより、意図しない自然放電を抑制することが可能となる。
【００５０】
また、シャーシ１４とインバータ基板２０とは、他の部材を介さず互いに対向している。このような場合、インバータ基板２０とシャーシ１４との接触が生じて損傷が発生し易くなるため、本発明のガイドボス３０が損傷防止に効果を発揮する。
【００５１】
＜実施形態２＞
本発明の実施形態２を図１４によって説明する。この実施形態２では、実施形態１からインバータ基板４０の構成を変更したものを示す。なお、この実施形態２において、上記実施形態１と同様の部材には、上記実施形態と同符号を付して図示及び説明を省略するものもある。
図１４は本実施形態に係る液晶表示装置の長辺方向に沿った断面構成を示す断面図である。
【００５２】
インバータ基板４０は、図１４に示すように、裏側の面（シャーシ１４とは反対側の面）には、トランスやコンデンサなどのリード部品４０ａが実装され、表側の面（シャーシ１４側の面）には、配線パターン（図示せず）が形成されるとともに抵抗やダイオードやコンデンサなどのチップ部品４０ｂが実装されている。このうち、リード部品４０ａのリードは、インバータ基板４０のスルーホールを通して表側の面に突出した状態で配線パターンに半田付けされている。一方、チップ部品４０ｂは、インバータ基板４０の表側の面において配線パターン上に表面実装されている。
【００５３】
インバータ基板４０における中継コネクタ２１に対する挿入方向の前端部には、中継コネクタ２１に対して挿入・接続されるコネクタ接続部４０ｃが設けられている。各コネクタ接続部４０ｃは、各中継コネクタ２１に対して個別に挿入可能とされ、その裏面側（シャーシ１４とは反対側）の先端部には、配線パターンから延出した端子部４０ｄが設けられている。
【００５４】
インバータ基板４０は、シャーシ１４の底板１４ａと対向しており、底板１４ａに沿って非挿入位置から挿入位置まで移動可能となっている。このインバータ基板４０の四隅には、インバータ基板４０がシャーシ１４に接近することを規制するガイドボス３０が立設されている。より詳しくは、ガイドボス３０の先端に取り付けられたボール３２がシャーシ１４の裏面に当接することで、インバータ基板４０とシャーシ１４との間に所定の距離離間した状態が保持されている。
【００５５】
以上説明したように、本実施形態に係るインバータ基板４０は、表側の面（シャーシ１４側の面）にチップ部品４０ｂが実装され、裏側の面（シャーシ１４とは反対側の面）にリード部品４０ａ及び端子部４０ｄが実装されている。このように、各部品をインバータ基板４０の両面に実装することにより、各部品の配置空間に余裕ができ自由な配置態様を実現することが可能となったり、あるいはインバータ基板４０の面積を小さくすることができる。さらに、インバータ基板４０にガイドボス３０を設けたことにより、インバータ基板４０の表面側に実装されたチップ部品４０ｂがシャーシ１４と接触することを防止することができ、インバータ基板４０の損傷を防止することが可能となる。
【００５６】
＜実施形態３＞
本発明の実施形態３を図１５によって説明する。この実施形態３では、実施形態１からガイドボス５１の配置構成を変更したものを示す。なお、この実施形態３において、上記実施形態１と同様の部材には、上記実施形態と同符号を付して図示及び説明を省略するものもある。
図１５は本実施形態に係るインバータ基板の概略構成を示す平面図である。
【００５７】
図１５に示すように、インバータ基板５０のうち中継コネクタ２１への挿入側（前方側）には、長辺方向（Ｙ軸方向）の中央部に１つのガイドボス５１が立設されている。一方、インバータ基板５０のうち中継コネクタ２１への挿入側とは反対側（後方側）には、両隅にガイドボス５１がそれぞれ立設されている。すなわち、インバータ基板５０には、三角形をなす３つの位置にそれぞれガイドボス５１が設けられている。各ガイドボス５１は、インバータ基板５０を非挿入位置又は挿入位置に配した場合に、シャーシ１４の裏面に当接するものとなっている。
【００５８】
このように、少なくとも３つのガイドボス５１を設けることにより、インバータ基板５０とシャーシ１４とが少なくとも３点以上で互いに離間した状態に保たれる。したがって、インバータ基板５０を移動させる際に、シャーシ１４側（Ｚ軸側）に対して位置ずれし難く安定した移動が可能となる。その結果、インバータ基板５０とシャーシ１４との接触を回避することができ、両者の損傷を防止することが可能となる。
【００５９】
＜実施形態４＞
本発明の実施形態４を図１６によって説明する。この実施形態４では、実施形態１にカバー６０を取り付けたものを示す。なお、この実施形態４において、上記実施形態１と同様の部材には、上記実施形態と同符号を付して図示及び説明を省略するものもある。
図１６は本実施形態に係る液晶表示装置の長辺方向の断面構成を示す断面図、図１７はカバーを取り付けたシャーシの拡大底面図である。
【００６０】
カバー６０は、絶縁性を有する合成樹脂製とされ、図１６に示すように、シャーシ１４の底板１４ａとインバータ基板２０との間に介在している。カバー６０は、シャーシ１４の底板１４ａの裏側の面（冷陰極管１８とは反対側の面）に対して取り付けられており、底板１４ａのうち長辺方向の両端位置に一対ずつ配置され、それにより底板１４ａにおける中継コネクタ２１の設置領域を所定の範囲にわたって覆っている。
【００６１】
詳しくは、カバー６０は、図１７に示すように、平面視略矩形状をなすとともに、その長辺方向を底板１４ａにおける短辺方向と一致させた向きで、一対ずつＹ軸方向に横並びした状態で底板１４ａの長辺方向の両端部に対してビスなどにより固定されている。したがって、カバー６０の長辺寸法は、シャーシ１４の短辺寸法やインバータ基板２０の長辺寸法の半分程度とされる。カバー６０は、略板状をなし、その板面がシャーシ１４の底板１４ａ及びインバータ基板２０の板面に対して並行する形態とされる。カバー６０は、大まかには、中継コネクタ２１に相対的に近い側（シャーシ１４における端側）が前部６０ａとされるのに対し、中継コネクタ２１から相対的に遠い側（シャーシ１４における中央側）が後部６０ｂとされる。このうち、後部６０ｂには、放熱用の放熱孔６０ｃが貫通形成され、複数行列状に配置されている。さらに、カバー６０には、インバータ基板２０の挿入方向（Ｘ軸方向）に沿って、インバータ基板２０のガイドボス３０が摺動可能なガイド孔６１が貫通形成されている。ガイド孔６１は細長い略矩形状の孔であり、カバー６０の前部６０ａから後部６０ｂに亘って延設されている。
【００６２】
インバータ基板２０が非挿入位置に配された場合には、当該インバータ基板２０はカバー６０と対向する。このインバータ基板２０の四隅には、ガイドボス３０がそれぞれ立設されている。ガイドボス３０は、カバー６０のガイド孔６１を貫通して、シャーシ１４の底板１４ａの裏面に当接する。そして、インバータ基板２０をシャーシ１４の裏面に沿って非挿入位置から挿入位置へ移動させると、ガイドボス３０はガイド孔６１に沿ってシャーシ１４の底板１４ａ上を移動する。このガイドボス３０により、インバータ基板２０とシャーシ１４とは、所定の距離離間した状態が保たれることとなる。
【００６３】
以上説明したように、本実施形態の構成によれば、インバータ基板２０とシャーシ１４との間に絶縁性を有するカバー６０が取り付けられているため、インバータ基板２０からシャーシ１４への意図しない自然放電を抑制することが可能となる。さらに、インバータ基板２０に設けられたガイドボス３０が、カバー６０のガイド孔６１を貫通してシャーシ１４と当接するものとされているため、インバータ基板２０とシャーシ１４との接触を回避することができ、両者の損傷を防止することが可能となる。
【００６４】
＜他の実施形態＞
本発明は上記記述及び図面によって説明した実施形態に限定されるものではなく、例えば次のような実施形態も本発明の技術的範囲に含まれる。
【００６５】
（１）上記した各実施形態では、ガイドボスは、筒部の先端にボールが回転可能に把持された構成としたが、ボールを省略した構成としてもよい。この場合、インバータ基板を非挿入位置から挿入位置に移動させる際、筒部の先端がシャーシに摺動することでインバータ基板とシャーシとの接近を規制する。
【００６６】
（２）上記した各実施形態では、ガイドボスをインバータ基板の四隅に配置したり、三角形状に配置したりする構成を例示したが、ガイドボスの配置数、配置位置はこれらに限られるものではない。
【００６７】
（３）上記した各実施形態以外にも、インバータ基板上に実装される部品の種類などの各種構成は適宜に変更可能である。
【００６８】
（４）上記した各実施形態では、冷陰極管の両端部の電極それぞれに対応して一対のインバータ基板を配したものを示したが、片方のインバータ基板を省略して冷陰極管を片側駆動するようにしたものも本発明に含まれる。その場合、インバータ基板が省略された側（低圧側）の中継コネクタには、アース回路を接続するようにすればよい。
【００６９】
（５）上記した各実施形態では、冷陰極管がガラス管の端部に突出したアウタリードを備え、このアウタリードをコネクタに接続したものを例示したが、例えばガラス管の端部にアウタリードに接続した口金を外装し、口金をコネクタに接続させるようなものも本発明に含まれる。
【００７０】
（６）上記した各実施形態では、光源として蛍光管の一種である冷陰極管を用いた場合を例示したが、熱陰極管など他の種類の蛍光管を用いたものも本発明に含まれる。また、蛍光管以外の種類の放電管（水銀ランプなど）を用いたものも本発明に含まれる。
【符号の説明】
【００７１】
１０…液晶表示装置（表示装置）、１１…液晶パネル（表示パネル）、１２…バックライト装置（照明装置）、１４…シャーシ、１８…冷陰極管（光源）、２０…インバータ基板（電力供給基板）、２１…中継コネクタ、３０…ガイドボス（接近規制ボス）、３２…ボール（球状部材）、６０…カバー、ＴＶ…テレビ受信装置
【図１】
2010103705.tif 000003
【図２】
2010103705.tif 000004
【図３】
2010103705.tif 000005
【図４】
2010103705.tif 000006
【図５】
2010103705.tif 000007
【図６】
2010103705.tif 000008
【図７】
2010103705.tif 000009
【図８】
2010103705.tif 000010
【図９】
2010103705.tif 000011
【図１０】
2010103705.tif 000012
【図１１】
2010103705.tif 000013
【図１２】
2010103705.tif 000014
【図１３】
2010103705.tif 000015
【図１４】
2010103705.tif 000016
【図１５】
2010103705.tif 000017
【図１６】
2010103705.tif 000018
【図１７】
2010103705.tif 000019
【国際調査報告】
2010103705.tif 000020
2010103705.tif 000021